(57)【特許請求の範囲】
【請求項１】
差圧保持ダンパに開閉検出用リミットスイッチを設置し、このリミットスイッチのＯＮ−ＯＦＦ信号により上記ダンパの動作を検出する監視装置を遠隔に設置し、この監視装置は、空調機の運転開始後の所定時間経過後にリミットスイッチのＯＮ−ＯＦＦ信号の監視を開始し、リミットスイッチが上記差圧保持ダンパの閉に対応する信号を発している場合には、その信号の継続時間を計時して、所定時間継続した場合には異常を判定して警報を発すると共に、空調機の運転停止後の所定時間経過後にリミットスイッチのＯＮ−ＯＦＦ信号の監視を開始し、リミットスイッチが上記差圧保持ダンパの開に対応する信号を発している場合には、その信号の継続時間を計時して、所定時間継続した場合には異常を判定して警報を発するシーケンス処理を行う構成としたことを特徴とする差圧保持ダンパの管理装置
【請求項２】
差圧保持ダンパに開閉検出用リミットスイッチを設置し、このリミットスイッチのＯＮ−ＯＦＦ信号により上記ダンパの動作を検出する監視装置を遠隔に設置し、この監視装置により、空調機の運転開始後の所定時間経過後にリミットスイッチのＯＮ−ＯＦＦ信号の監視を開始し、リミットスイッチが上記差圧保持ダンパの閉に対応する信号を発している場合には、その信号の継続時間を計時して、所定時間継続した場合には異常を判定して警報を発すると共に、空調機の運転停止後の所定時間経過後にリミットスイッチのＯＮ−ＯＦＦ信号の監視を開始し、リミットスイッチが上記差圧保持ダンパの開に対応する信号を発している場合には、その信号の継続時間を計時して、所定時間継続した場合には異常を判定して警報を発することを特徴とする差圧保持ダンパの管理方法
【発明の詳細な説明】
【０００１】
【発明の属する技術分野】
本発明は、２室間の圧力差を一定値に保持するために両室間の壁に設置するダンパ、即ち、差圧保持ダンパの管理装置及び管理方法に関するものである。
【０００２】
差圧保持ダンパ（バロメトリックダンパ）は、カウンターウェイトを設けたダンパ本体が両室間の圧力差に応じて開閉し、通過風量を自動的に増減することにより圧力差を一定に保持する動作を行うもので、例えばクリーンルーム等の室内を差圧管理して所定の陽圧に保つために設置されるものである。
【０００３】
このような差圧保持ダンパの試験調整や動作状況等の管理に際して、従来は、作業員が差圧保持ダンパの設置場所に出向いて、その開閉の動作状況を目視により観察している。
【０００４】
【発明が解決しようとする課題】
クリーンルーム等において、数多くの室につき差圧管理が要求される場合、差圧保持ダンパの管理に際しては、空調機の運転状態、または扉の開閉や人の動作の変化等の環境の変化に対応して全ての差圧保持ダンパの動作状況を目視により観察する必要が生じ、気流管理に非常に時間と手間がかかる。
本発明は、このような課題を解決することを目的とするものである。
【０００５】
【課題を解決するための手段】
上記課題を解決するために、本発明では、差圧保持ダンパに開閉検出用リミットスイッチを設置し、このリミットスイッチのＯＮ−ＯＦＦ信号により上記ダンパの動作を検出する監視装置を遠隔に設置し、この監視装置は、空調機の運転開始後の所定時間経過後にリミットスイッチのＯＮ−ＯＦＦ信号の監視を開始し、リミットスイッチが上記差圧保持ダンパの閉に対応する信号を発している場合には、その信号の継続時間を計時して、所定時間継続した場合には異常を判定して警報を発すると共に、空調機の運転停止後の所定時間経過後にリミットスイッチのＯＮ−ＯＦＦ信号の監視を開始し、リミットスイッチが上記差圧保持ダンパの開に対応する信号を発している場合には、その信号の継続時間を計時して、所定時間継続した場合には異常を判定して警報を発するシーケンス処理を行う構成とした差圧保持ダンパの管理装置を提案する。
【０００６】
また本発明では、差圧保持ダンパに開閉検出用リミットスイッチを設置し、このリミットスイッチのＯＮ−ＯＦＦ信号により上記ダンパの動作を検出する監視装置を遠隔に設置し、この監視装置により、空調機の運転開始後の所定時間経過後にリミットスイッチのＯＮ−ＯＦＦ信号の監視を開始し、リミットスイッチが上記差圧保持ダンパの閉に対応する信号を発している場合には、その信号の継続時間を計時して、所定時間継続した場合には異常を判定して警報を発すると共に、空調機の運転停止後の所定時間経過後にリミットスイッチのＯＮ−ＯＦＦ信号の監視を開始し、リミットスイッチが上記差圧保持ダンパの開に対応する信号を発している場合には、その信号の継続時間を計時して、所定時間継続した場合には異常を判定して警報を発することとした差圧保持ダンパの管理方法を提案する。
【０００７】
以上の管理装置によれば、差圧保持ダンパの開閉の動作状況は監視装置において検出することができるので、多数の差圧保持ダンパの遠隔での一括管理が可能となる。
【０００８】
また監視装置においては、空調機の運転状態に照らして、多数の差圧保持ダンパの開閉の動作状況を判断することにより、夫々の差圧保持ダンパの動作が正常か異常かを判定することができる。このような判定動作は、監視装置において空調機の運転に連動させたシーケンス処理により行うことができ、空調機の運転開始後及び運転停止後は、所定時間経過後に監視を開始することにより、空調機の運転開始直後及び運転停止直後における気流の不安定状態での「異常対応信号」は除外して、真の動作異常のみの検出が可能となる。
【０００９】
【発明の実施の形態】
次に本発明の実施の形態を添付図面を参照して説明する。
図１は本発明を適用した差圧保持ダンパの管理装置の構成を概念的に示す系統図であり、また図２、図３は本発明を適用した差圧保持ダンパの縦断面図、図４は図２のＡ−Ａ矢視拡大図である。
符号１は差圧保持ダンパであり、この差圧保持ダンパ１は、概ね、２室Ａ，Ｂ間の壁２の開口部に取り付けたダンパ枠３と、このダンパ枠３に支点４の回りに回転可能に支持したダンパ翼５とから構成している。そしてダンパ枠３には、ダンパ翼５が当接して上記開口部を閉とする受座６を設けており、またダンパ翼５には外側にレバー７を突設してカウンターウェイト８をこのレバー７に沿って移動可能とし、適所で締付ねじ９により固定可能としている。このような差圧保持ダンパ１の基本構成並びにその付帯的な構成は、適宜の構造のものを利用することができ、またその基本的動作は従来のものと同様であるので詳細な説明は省略する。
【００１０】
本発明の差圧保持ダンパにおいては、以上の基本構成に加え、開閉検出用リミットスイッチを設置する。即ち、図２〜図４の構成において、ダンパ枠３の図中下側、即ちダンパ翼５の支点４から遠い端側に対応する位置の内部にはスイッチ取付箱体１０を設置しており、この取付箱体１０にリミットスイッチ１１を設置している。更に詳細に説明すると取付箱体１０には傾斜面１２を形成し、この傾斜面１２にリミットスイッチ本体１３を取り付けるための長孔１４を形成している。この長孔１４の長さ方向は傾斜面１２に沿っているが、ダンパ枠３の左右方向に対応している。
【００１１】
リミットスイッチ本体１３は棒状で挟持用の締付ナット１５を設けており、長孔１４に挿入して締付ナット１５により挟持して固定する。リミットスイッチ１１はリミットスイッチ本体１３からアクチュエータ１６としてワイヤスプリングが突設しており、即ち、このリミットスイッチ１１はワイヤスプリング形触覚スイッチを用いている。以上のようにリミットスイッチ本体１３を取付箱体１０に取り付けることにより、ワイヤスプリング１６の先端は図３に示すように開口部を越えて斜め方向に外部に突出可能となる。そしてその突出長と左右方向の位置は、リミットスイッチ本体１３の固定位置を長孔１４に沿ってずらすことにより調節することができる。
【００１２】
以上の構成において図３に示すようにＡ室、Ｂ室間の圧力差により、カウンターウエイト８を含む重量に抗してダンパ翼５が上方に回転し、差圧保持ダンパ１が開となっている状態では、ワイヤスプリング１６は自由状態であるのでＯＮとなっている。即ち、この例ではリミットスイッチ１１は常時閉路接点を利用している。
【００１３】
しかしながらダンパ翼５がカウンターウェイト８を含む重量により下方に回転して閉となると、ダンパ翼５によりワイヤスプリング１６が押されて弾性変形すると共にリミットスイッチ本体１３内の接点部が動作してリミットスイッチ１１はＯＦＦとなる。以上のことからリミットスイッチ１１のＯＮ−ＯＦＦ信号により、ダンパ翼５の開閉状態が検出できる。
【００１４】
尚、リミットスイッチは、以上に説明した構成の他、ダンパ翼５の開閉状態に応じてＯＮ−ＯＦＦ信号を発する構成であれば、アクチュエータ１６の構成、接点の構成、支持構成等は、適宜の構成を利用することができるものである。
【００１５】
次に図１において符号１（１ａ，１ｂ，１ｃ，…）は、以上説明した構成の差圧保持ダンパであり、添字ａ，ｂ，ｃを除いた各符号は図２〜図４における同一符号の要素に相当するものであり、それらの説明は省略する。
これらの複数または多数の差圧保持ダンパ１は、複数または多数の室の間の壁に構成されるものであり、これらの差圧保持ダンパ１から適宜離れた位置に監視装置１７を構成している。この監視装置１７の装置本体１８に設けた入力部に、上記差圧保持ダンパ１のリミットスイッチ１１からの各信号線１９を接続しており、このため離れた位置の複数または多数の差圧保持ダンパ１の開閉の動作状態を監視装置１７において遠隔で検出することができ、従って、これら複数又は多数の差圧保持ダンパ１の一括管理が可能となる。
監視装置１７は通常の運転状態において、夫々の差圧保持ダンパ１の開閉の動作を監視し、以て空調機からの気流の管理、即ち各室の差圧管理を行うことができる。
【００１６】
次に、これらの複数の差圧保持ダンパ１の動作が正常か異常かを監視装置１７において確認するシーケンスを次に説明する。
［１］…空調機の運転時の監視
ステップＳ１： 監視装置本体１８により、リミットスイッチ１１の信号を監視する。この際、空調機が運転を開始してから所定時間、例えば１２０秒が経過するまでは、リミットスイッチ１１の信号は無視し、監視は行わず、所定時間経過後にリミットスイッチ１１の信号の監視を開始する。このような所定時間を設けることにより、空調機の運転開始直後で気流が不安定な状態における「異常対応信号」は除外して、真の異常のみの検出が可能となる。
↓
ステップＳ２： リミットスイッチ１１の信号を判断し、差圧保持ダンパ１の「開」に対応する信号、即ち上記の例では、ＯＮ信号を発している場合には、「正常」として、ステップＳ１における監視を継続する。一方、リミットスイッチ１１が差圧保持ダンパの「閉」対応信号であるＯＦＦ信号を発している場合には、仮に「異常」と判断して次のステップＳ３に移行する。
↓
ステップＳ３： ステップＳ２におけるＯＦＦ信号の継続時間を計時し、所定時間、例えば３０秒間続いた場合には、真の「異常」と判断して次のステップＳ４の警報処理に移行する。このように異常対応信号が所定時間継続した場合のみを真の「異常」と判断することにより、室の扉の開閉や人の動き等による気流の変動に起因して差圧保持ダンパが一時的に閉じるような動作では警報処理を行わないようにすることができる。
↓
ステップＳ４： ステップＳ３において真の「異常」と判断した場合には、警報ランプ２０を点灯すると共にブザー２１を鳴動させる警報処理を行う。この場合、警報ランプ２０は、現地確認後のリセットスイッチによるリセット処理をするまで点灯し続け、ブザー２１はリセット処理を行うか、所定時間、例えば６０分間が経過するまで鳴動を続けるように設定する。
【００１７】
［２］…空調機の停止時の監視
ステップＳ１１： 空調機が運転を停止してから所定時間、例えば１２０秒が経過するまでは、リミットスイッチ１１の信号は無視して監視は行わず、所定時間経過後にリミットスイッチ１１の信号の監視を開始する。従って上記と同様に、空調機の運転停止直後で気流が不安定な状態における「異常対応信号」は除外して、真の異常のみの検出が可能となる。
↓
ステップＳ１２： リミットスイッチ１１の信号を判断し、差圧保持ダンパ１の「閉」に対応する信号、即ち上記の例では、ＯＦＦ信号を発している場合には、「正常」として監視を継続する。一方、リミットスイッチ１１が差圧保持ダンパの「開」対応信号であるＯＮ信号を発している場合には、仮に「異常」と判断して次のステップＳ１３に移行する。
↓
ステップＳ１３： ステップＳ１２におけるＯＮ信号の継続時間を計時し、所定時間、例えば３０秒間続いた場合には、真の「異常」と判断して次のステップＳ１４の警報処理に移行する。
↓
ステップＳ１４： 上記ステップＳ４と同様な警報処理を行う。
【００１８】
以上のシーケンスにより、差圧保持ダンパ１の開閉状態を一括して遠隔の監視装置１７において監視し、そして必要に応じて警報を発することができ、従って全ての室の気流管理を一括して行うことができる。
【００１９】
このような気流管理は、例えばクリーンルーム等においては、稼働時に行う外、施設の完成後の試験調整等に行うことができる。
【００２０】
【発明の効果】
本発明は以上のとおり、差圧保持ダンパの開閉の動作状況を遠隔に設置した監視装置において検出することができるので、多数の差圧保持ダンパを一括して監視することができ、気流管理に要する時間と手間を低減することができる。
【図面の簡単な説明】
【図１】  本発明を適用した差圧保持ダンパの管理装置の構成を概念的に示す系統図である。
【図２】  本発明を適用した差圧保持ダンパの閉状態の縦断面図である。
【図３】  本発明を適用した差圧保持ダンパの開状態の縦断面図である。
【図４】  図２のＡ−Ａ矢視拡大図である。
【符号の説明】
１                          差圧保持ダンパ
２                          壁
３                          ダンパ枠
４                          支点
５                          ダンパ翼
６                          受座
７                          レバー
８                          カウンターウェイト
９                          締付ねじ
１０                        取付箱体
１１                        リミットスイッチ
１２                        傾斜面
１３                        リミットスイッチ本体
１４                        長孔
１５                        締付ナット
１６                        アクチュエータ（ワイヤスプリング）
１７                        監視装置
１８                        監視装置本体
１９                        信号線
２０                        警報ランプ
２１                        ブザー
【図１】
0003892499.tif 000002
【図２】
0003892499.tif 000003
【図３】
0003892499.tif 000004
【図４】
0003892499.tif 000005